(57)【要約】【課題】使用者を問わず効果的な防護ができるとともに、刺激剤を制約なく使用して攻撃者に対して正確に制圧ができ、かつ使用者に対して安全性を確保することができる防護具を提供すること。【解決手段】刺股において、使用者が把持するための竿部２０１と、該竿部の先端に取り付けられ、攻撃者を捕獲するための捕獲部１０１と、竿部に内蔵され、刺激剤を噴射する噴出部２０４とを備え、捕獲部１０１は、刺激剤を噴射する噴射口１０４を有し、噴出部２０４は、捕獲部１０１に対して竿部２０１の方向に押圧力が作用した場合に、刺激剤を噴射する。【選択図】        図２
2007139261.tif 000002
【特許請求の範囲】
【請求項１】
使用者が把持するための竿部と、該竿部の先端に取り付けられ、攻撃者を捕獲するための捕獲部とを備えた防護具において、
前記捕獲部は、刺激剤を噴射する噴射口を有し、
前記竿部は、刺激剤を内蔵し、前記捕獲部に対して押圧力が作用した場合に、前記噴射口を介して刺激剤を噴射することを特徴とする防護具。
【請求項２】
使用者が把持するための竿部と、該竿部の先端に取り付けられ、攻撃者を捕獲するための捕獲部とを備えた防護具において、
前記捕獲部は、刺激剤を噴射する噴射口を有し、
前記竿部は、刺激剤を内蔵し、前記捕獲部が取り付けられた端部と反対側の端部に回動可能なグリップ部を備え、前記グリップ部が回動した場合に、前記噴射口を介して刺激剤を噴射することを特徴とする防護具。
【請求項３】
使用者が把持するための竿部と、該竿部の先端に取り付けられ、攻撃者を捕獲するための捕獲部とを備えた防護具において、
前記捕獲部は、刺激剤を噴射する噴射口を有し、
前記竿部は、前記捕獲部が取り付けられた端部と反対側の端部に、刺激剤を内蔵し、起動ボタンの操作により噴射ノズルから刺激剤を噴射する噴出装置を着脱可能とし、内部に前記捕獲部の前記噴射口と前記噴出装置の噴射ノズルとを接続する管路を有することを特徴とする防護具。
【発明の詳細な説明】
【技術分野】
【０００１】
使用者が把持するための竿部と、該竿部の先端に取り付けられ、攻撃者を捕獲するための捕獲部とを備えた防護具に関する。
【背景技術】
【０００２】
現在、学校などの教育機関では、警備会社と契約し機械警備を実施することにより防犯対策を行っているが、非常事態が発生して警備員や警察が到着するまでの間の安全対策も種種考えられている。特に、近年、強盗や殺人などの凶悪犯罪が多発する社会状況の中、刺股等の防護具や催涙スプレー等を導入して防犯対策を行っている教育機関も多くなってきている。
【０００３】
しかしながら、実際に凶悪犯との攻防が行なわれた際に刺股を扱うのは、一般職員や生徒などであることが予想される。従って、刺股の扱いに不慣れな者や、非力な者が刺股を扱うことになる場面も充分に考えられ、効果的な防護が困難となる。そして、最悪の場合には、自己の身を護るために使用した刺股が攻防の最中に凶悪犯に奪い取られ、凶悪犯に更なる凶器を与えることにもなり兼ねない。このような場合を想定すると、現状の刺股では、刃物などの凶器を備えた凶悪犯に、学校の職員・生徒等の凶悪犯への対抗力が弱い者が、凶悪犯に対抗する手段として使用する際の防護具としては万全でない。
【０００４】
かかる問題点に鑑みて、制圧の目的を達成するために、袋状体のクッション体の中に人の耳鼻咽喉を刺激する香辛料又は催涙性の粉末を衝撃により四散する状態に配置した持凶器犯人対応の制圧防護用の盾が従来技術として知られている（例えば、特許文献１参照）。
【０００５】
【特許文献１】特開２００３−９０６９７号公報
【発明の開示】
【発明が解決しようとする課題】
【０００６】
しかしながら、特許文献１に記載されている技術では、香辛料又は催涙性の粉末を衝撃により四散させる性質のため、制圧防護用の盾等が犯人に避けられて当たらなかった場合や、香辛料又は催涙性の粉末が四散するために必要となる充分な衝撃が得られなかった場合等には、人の耳鼻咽喉を刺激することができず、制圧の目的を達成できなくなる懸念がある。
【０００７】
また、従来の制圧防護用の盾では、織り目の粗い布からなる袋状体を形成し、袋状体によりクッション体を包み、このクッション体の中に、刺激剤として人の耳鼻咽喉を刺激する香辛料等の粉末を衝撃により四散する状態に配置するものである。このため、刺激剤として液体状の香辛料又は催涙性の物質等を使用する場合には、織り目の粗い布からは衝撃が生じなくても刺激剤が漏れてしまうため、使用することが出来ないという制約がある。
【０００８】
更に、従来の制圧防護用の盾では、織り目の粗い布を用いた袋状体から衝撃により香辛料等の刺激剤を四散させているため、防護目的でない場合でも防護用の盾等を振り回すことで衝撃を生じた場合や、壁等に防護用の盾等がぶつかることにより衝撃を受けた場合にも刺激剤が四散してしまうおそれがある。すなわち、従来の制圧防護用の盾では、このように防護目的で使用しない場合でも、人の耳鼻咽喉を刺激する香辛料又は催涙性の粉末が四散してしまい、最悪の場合には、防護する側の使用者自身に降りかかってしまう場合がある。
【０００９】
本発明は、上記に鑑みてなされたものであって、使用者を問わず効果的な防護ができるとともに、刺激剤を制約なく使用して攻撃者に対して正確に制圧ができ、かつ使用者に対して安全性を確保することができる防護具を提供することを目的とする。
【課題を解決するための手段】
【００１０】
上述した課題を解決し、目的を達成するために、請求項１にかかる発明は、使用者が把持するための竿部と、該竿部の先端に取り付けられ、攻撃者を捕獲するための捕獲部とを備えた防護具において、前記捕獲部は、刺激剤を噴射する噴射口を有し、前記竿部は、刺激剤を内蔵し、前記捕獲部に対して押圧力が作用した場合に、前記噴射口を介して刺激剤を噴射することを特徴とする。
【００１１】
また、請求項２にかかる発明は、使用者が把持するための竿部と、該竿部の先端に取り付けられ、攻撃者を捕獲するための捕獲部とを備えた防護具において、前記捕獲部は、刺激剤を噴射する噴射口を有し、前記竿部は、刺激剤を内蔵し、前記捕獲部が取り付けられた端部と反対側の端部に回動可能なグリップ部を備え、前記グリップ部が回動した場合に、前記噴射口を介して刺激剤を噴射することを特徴とする。
【００１２】
また、請求項３にかかる発明は、使用者が把持するための竿部と、該竿部の先端に取り付けられ、攻撃者を捕獲するための捕獲部とを備えた防護具において、前記捕獲部は、刺激剤を噴射する噴射口を有し、前記竿部は、前記捕獲部が取り付けられた端部と反対側の端部に、刺激剤を内蔵し、起動ボタンの操作により噴射ノズルから刺激剤を噴射する噴出装置を着脱可能とし、内部に前記捕獲部の前記噴射口と前記噴出装置の噴射ノズルとを接続する管路を有することを特徴とする。
【発明の効果】
【００１３】
請求項１にかかる発明によれば、捕獲部に対して押圧力が作用した場合に、噴射口を介して刺激剤を噴射することで、攻撃者との距離を維持して使用者の安全性を確保しつつ、攻撃者への正確な制圧を行うことができるという効果を奏する。また、請求項１にかかる発明によれば、刺股を攻撃者に掴み取られた状態でも刺股を更に攻撃者に押し込むことにより、刺激剤を噴射させることができ、刺股を扱う者が攻撃者に比べて非力である場合等使用者を問わず、攻撃者への制圧を行うことができるという効果を奏する。また、請求項１にかかる発明によれば、刺股を振り回す等により衝撃が生じた場合でも、目的に反して刺激剤が噴射されることを回避でき、使用者自身にスプレーが降りかかってしまう恐れがなく、使用者の安全性を図ることができる。さらに、請求項１にかかる発明によれば、捕獲部に押圧力が作用することにより刺激剤が噴射されるので、刺激剤として粉末でも液体でも使用することができ、制約なく刺激剤を選択することができるという効果を奏する。
【００１４】
また、請求項２にかかる発明によれば、竿部は刺激剤を内蔵し、捕獲部が取り付けられた端部と反対側の端部に回動可能なグリップ部を備え、グリップ部が回動した場合に、噴射口を介して刺激剤を噴射することで、刺股の攻撃者に対する押し付けが回避された場合や不可能な場合でも、柄部を回動させることにより刺激剤の噴射ができ、攻撃者に対する制圧効果が削減されることを防止することができるという効果を奏する。
【００１５】
また、請求項３にかかる発明によれば、竿部は捕獲部が取り付けられた端部と反対側の端部に、刺激剤を内蔵し、起動ボタンの操作により噴射ノズルから刺激剤を噴射する噴出装置を着脱可能とし、内部に捕獲部の噴射口と噴出装置の噴射ノズルとを接続する管路を有することで、刺激剤の噴射のための新たな機能を搭載する際の製造工程が簡易となるとともに、刺激剤がなくなった場合には、噴出装置自体を交換すればよいため、刺股を反復して使用することができるという効果を奏する。
【発明を実施するための最良の形態】
【００１６】
以下に添付図面を参照して、この発明にかかる防護具の最良な実施の形態を詳細に説明する。なお、以下に示す各実施の形態では、本発明の防護具を刺股に適用した例を説明しているが、使用者が把持するための竿部と、該竿部の先端に取り付けられ、攻撃者を捕獲するための捕獲部を備えた防護具であれば、刺股以外にも適用することが可能である。
【００１７】
（実施の形態１）
図１は、実施の形態１にかかる刺股の外観構成を示す模式図である。本実施の形態にかかる刺股は、図１に示すように、竿部２０１と略Ｕ字形状の捕獲部１０１とから構成される。本実施の形態の刺股は、使用者が竿部２０１を把持して捕獲部１０１を攻撃者に対向させて攻撃者の制圧を行うものであり、攻撃者との格闘中に攻撃者に対してスプレーを噴射可能となっている。
【００１８】
竿部２０１は、図１に示すように、棒状に形成されており、その一端に捕獲部１０１が取り付けられている。また、竿部２０１の他端近傍には、使用者が把持する部分である柄部としてのグリップ部２０３が設けられている。なお、グリップ部２０３の構造の詳細については後述する。さらに、竿部２０１のグリップ部２０３の捕獲部側近傍には鍔２０２が張り出して設けられている。
【００１９】
竿部２０１は、円筒形状で形成されており、その中空部には後述する噴出部としての防御スプレーが内蔵されている。
【００２０】
捕獲部１０１は、攻撃者に対して対向させて攻撃者の人体等を捕獲するものである。捕獲部１０１は、図１に示すように、防御スプレーからの液体スプレーを噴射する開口部である噴射口１０４が穿孔されている。この噴射口１０４は、捕獲部１０１を攻撃者に対向させたときにちょうど攻撃者の正面となる位置、すなわち、Ｕ字形状の凹部の最深部に相当する位置に設けられている。
【００２１】
また、捕獲部１０１には、ネオジム等の２個の強力な永久磁石１０５が捕獲部表面で対極となるように内蔵されている。これにより、攻撃者が磁性体の凶器（例えば、刃物、バール、拳銃等）を使用して犯行を試みた場合に、永久磁石１０５に凶器が吸着して、凶器を安全に奪い取ることができる。また、万一、凶器が刺股に吸着して刺股が攻撃者に奪い取られた場合でも、刺股から凶器を容易に取り外すことができず、刺股に凶器が吸着されたままの状態であるため、攻撃者が凶器を自在に操ることを不可能にすることができる。
【００２２】
さらに、捕獲部１０１には、竿部２０１の先端近傍を被覆し、捕獲部１０１と竿部２０１を結合するカバー部１０３が一体形成されている。
【００２３】
次に、防御スプレー２０４および竿部２０１と捕獲部１０１の防御スプレー内蔵機構について説明する。図２は、実施の形態１にかかる刺股の防御スプレーおよび防御スプレー内蔵機構の詳細を示す断面図である。図３は、捕獲部１０１の竿部２０１との接合部付近の詳細を示す断面図である。図４は、竿部２０１の防御スプレー２０４の内蔵部分の詳細を示す断面図である。
【００２４】
防御スプレー２０４は、その本体内部に刺激剤として催涙・マスタードオイル等が貯蔵されており、本体先端に取り付けられた起動ボタン２０５を押下することによって、催涙・マスタードオイル等のスプレーが本体内部の管路（図示せず）を通って起動ボタン２０５先端から噴出されるようになっている。
【００２５】
また、防御スプレー２０４は、竿部２０１の中空部に固定された支持台２１０によってその底部が支持され、さらに支持台２１０に形成された筒状体２１１によって底部周縁部を固定されている。このため、防御スプレー２０４の竿部中空部内におけるグリップ部側への移動が阻止される。また、この筒状体２１１には、後述するワイヤー１０７を貫通させる貫通孔（図示せず）が設けられている。
【００２６】
また、防御スプレー２０４の起動ボタン２０５は、図２に示すように、捕獲部１０１のカバー部１０３が形成されている側の面を貫通して捕獲部１０１の中空部に先端が露出している。そして、起動ボタン２０５は、その周面に突設された突起部２０６によって捕獲部１０１のカバー部１０３が形成されている側の面に係止されている。
【００２７】
捕獲部１０１は、その内部が中空構造となっており、内壁面に強力永久磁石１０５が装着されている。また、捕獲部１０１のカバー部１０３には、その内壁面に複数の凸部１０８が設けられており、この凸部１０８は、竿部外周面の凹部２０８と嵌合し、これによって竿部２０１と捕獲部１０１とが容易にはずれないようになっている。一方、捕獲部１０１が竿部２０１に一定の押圧力を越えて押しつけられることによって、凸部１０８と凹部２０８との嵌合がはずれ、捕獲部１０１のカバー部１０３と竿部２０１との嵌合状態が解除されるようになっている。
【００２８】
捕獲部１０１の竿部中空部に相当する外周面とグリップ部２０３とは、２本のワイヤー１０７で上述した筒状体２１１の貫通孔を介して接続されている。これらのワイヤー１０７は、グリップ部２０３が回動したときに、捕獲部１０１をグリップ部側に引っ張り、起動ボタン２０５をスプレー本体に押し込んで、スプレーを噴射させる役割を果たしている。
【００２９】
竿部２０１は、捕獲部１０１のカバー部１０３に挿入される先端部付近が先端部方向（図２の左方向）に向かって径が拡大するテーパ形状に形成され（テーパ状部２０７）、竿部２０１の先端部の外周径とカバー部１０３の内周径が同一径となっている。このため、上述した凸部１０８と凹部２０８による嵌合状態と相まって、竿部２０１と捕獲部１０１とが容易にはずれないようになっている。
【００３０】
竿部２０１では、カバー部１０３の端部のグリップ部２０３側近傍の外周面には、複数のストッパー２０９が突設されている。このストッパー２０９は、捕獲部１０１が竿部２０１に一定の押圧力を越えて押しつけられることによって、捕獲部１０１のカバー部１０３と竿部２０１との嵌合状態が解除された場合に、捕獲部１０１がカバー部１０３とともに、竿部２０１のグリップ部側への必要以上に移動することを阻止するためのものである。
【００３１】
本実施の形態の刺股では、竿部２０１と捕獲部１０１とが上述のように構成されているので、攻撃者に対して刺股を押し付けて護身する際に、捕獲部１０１が竿部２０１に押し付けられて、一定の押圧力を越えると、カバー部１０３の凸部１０８と竿部２０１の凹部２０８との嵌合がはずれ、捕獲部１０１のカバー部１０３と竿部２０１との嵌合状態が解除される。図５は、捕獲部１０１のカバー部１０３と竿部２０１との嵌合状態が解除された状態を示す模式図である。
【００３２】
このとき、防御スプレー２０４は、支持台２１０と筒状体２１１によってグリップ部２０３側への移動が規制される一方、捕獲部１０１からの押圧力によって突起部２０６が押されて起動ボタン２０５がスプレー本体２０４に押し込まれることになり、催涙・マスタードオイル等のスプレーが起動ボタン１０５の先端から噴出される。噴出されたスプレーは、捕獲部１０１の菅路（点線部）を通って噴射口１０４から外部に噴射される。
【００３３】
このように本実施の形態にかかる刺股では、捕獲部１０１が竿部２０１に押しつけられることによりスプレーが噴射されるので、刺股で攻撃者との距離を取りながら、攻撃者の直近に寄る必要がなく、かつ、攻撃者の直近からスプレーを噴射することが可能となる。これにより、攻撃者との距離を維持して使用者の安全性を確保しつつ、直近でスプレーを噴射できることから攻撃者への命中率や噴射され命中したスプレーの濃度も上がり、スプレーの攻撃者を怯ませる効果の向上も期待できる。
【００３４】
また、攻撃者が刺股に対抗するべく刺股の捕獲部１０１を手で掴み取り、刺股の機能を無効化させようとした場合でも、捕獲部１０１が竿部２０１に押し付けられることによりスプレーが噴射されるので、刺股を掴み取られた状態でも刺股を更に攻撃者に押し込むことにより、スプレーを噴射させることが可能となる。従って、刺股を扱う者が攻撃者に比べて非力である場合でも、攻撃者への制圧を行うことが可能となる。
【００３５】
具体的に、捕獲部１０１が竿部２０１に押しつけられ、スプレーの噴射が行われる場面としては、次のような場合がある。凶悪犯などの攻撃者の胴体等を刺股の捕獲部１０１に確保した場合に、攻撃者が刺股からの脱出を試みることで、攻撃者が刺股の捕獲部１０１を竿部２０１に押し付けた場合や、攻撃者の胴体等を刺股の捕獲部１０１に確保している場合に使用者が更に強く攻撃者を押さえ付けることで、刺股の捕獲部１０１に刺股の竿部２０１が押し付けられる場合である。また、攻撃者の胴体等を刺股の捕獲部１０１に確保している状態で、使用者がスプレー噴出を目的に刺股の竿部２０１を刺股の捕獲部１０１に意図的に押し付ける場合や、刺股を取り払おうと刺股の捕獲部１０１を攻撃者が持った場合で、更に刺股を持った状態で攻撃者が使用者を押し返そうと試みた際に、刺股の捕獲部１０１が刺股の竿部２０１に押し付けられる場合である。さらに、刺股を取り払おうと刺股の捕獲部１０１を攻撃者が持った場合に、それに対抗して防護者が更に刺股を攻撃者に押し付ける場合や、刺股を取り払おうと刺股の捕獲部１０１を攻撃者が持った状態で、使用者がスプレー噴出を目的に刺股の竿部２０１を刺股の捕獲部１０１に意図的に押し付ける場合等である。
【００３６】
次に、グリップ部２０３の構造について説明する。図６は、実施の形態１にかかる刺股のグリップ部２０３の構造を示す拡大断面図である。グリップ部２０３は、その内周面に亘って２つの凸部が設けられており、かかる凸部が、竿部２０１の外周面に亘って設けられた２個の溝部６０１と摺動可能に嵌合している。このため、グリップ部２０３は、竿部２０１に対して回動可能となっている。
【００３７】
また、一端が捕獲部１０１の竿部中空部側の面に装着された２本のワイヤー１０７は、他端において、竿部２０１に設けられた方向変換ストッパー６０２を介してグリップ部２０３内壁面に固定されている。方向変換ストッパー６０２は、ワイヤー１０７の引張力の方向を９０度変換するものである。すなわち、グリップ部２０３が回動すると、回動に伴うワイヤー１０７の図６における上下矢印方向の回転方向の引張力が、方向変換ストッパー６０２によって、図６における右矢印方向の引張力に変換される。このため、グリップ部２０３を回動させることによって、ワイヤー１０７が捕獲部１０１を右矢印方向に引っ張ることになる。一方、防御スプレー２０４は、支持台２１０と筒状体２１１によってグリップ部２０３側への移動が規制される。このため、捕獲部１０１に対するワイヤー１０７からの引張力によって突起部２０６を介して起動ボタン２０５がスプレー本体２０４に押し込まれるので、催涙・マスタードオイル等のスプレーが噴射口１０４から噴射される。
【００３８】
このように本実施の形態にかかる刺股では、グリップ部２０３を回転させることによりスプレーが噴射されるので、刺股を攻撃者に押し付けた場合において刺股を左右に払われた等の場合でも、グリップ部２０３を回転させることによりスプレー噴射ができ、攻撃者に対する制圧効果が削減されることを防止することができる。また、刺股を左右に払われた際に、使用者がグリップ部２０３を握っていれば、刺股が左右に払われることによりグリップ部２０３が回転し、これに伴うスプレー噴射が可能となる。
【００３９】
また、本実施の形態にかかる刺股では、刺股が攻撃者に届かない距離である場合でも、グリップ部２０３を回動させることによりスプレー噴射が可能となり、種々の場面を想定して有事に備えるために必要な刺股の防護性能を向上させることができる。
【００４０】
さらに、本実施の形態にかかる刺股では、捕獲部１０１が竿部２０１に押し付けられることによりスプレーが噴出し、また、グリップ部２０３を回動させることによりスプレーが噴射されるので、刺股を振り回した際に衝撃が生じたり、壁等に捕獲部１０１の側面が当たって衝撃が生じた場合でも、目的に反してスプレーが噴射されることを回避でき、使用者自身にスプレーが降りかかってしまう恐れがなく、使用者の安全性を図ることができる。
【００４１】
加えて、本実施の形態にかかる刺股では、捕獲部１０１が竿部２０１に押し付けられるあるいは、グリップ部２０３を回動させることによりスプレーが噴射されるので、スプレーとして粉末でも液体でも使用することができ、制約なくスプレーに用いる刺激剤を選択することができる。
【００４２】
なお、本実施の形態にかかる刺股において、捕獲部１０１の外周面にはグリース等の潤滑剤を塗布し、平常の刺股の不使用時には、グリースに埃等が付着することを防止するために、ビニールで被覆するように構成してもよい。
【００４３】
（実施の形態２）
実施の形態１にかかる刺股は、防御スプレーが予め内蔵されていたが、この実施の形態２にかかる刺股は、市販の防御スプレーを装着できるものである。図７は、実施の形態２にかかる刺股の外観構成を示す模式図である。本実施の形態にかかる刺股は、図７に示すように、実施の形態１と同様、竿部２０１とＵ字形状の捕獲部１０１とから構成される。
【００４４】
捕獲部１０１は、実施の形態１の刺股と同様に、スプレーを噴射するための噴射口１０４が設けられ、また、永久磁石１０５が内蔵されている。本実施の形態にかかる刺股の捕獲部１０１では、さらに外周面にはグリース等の潤滑剤が塗布されており、平常の刺股の不使用時には、グリースに埃等が付着することを防止するために、ビニール７０１で被覆されている。
【００４５】
これにより、攻撃者が刺股の防御効果を妨げる目的で刺股の捕獲部１０１を掴み取る行為に対して、ビニールが抜けることで刺股を掴み取ることを防止することが可能となる。また、ビニール７０１がはずれた後も、グリースが塗布されているために、攻撃者が捕獲部１０１を掴もうとした場合に手が滑り、刺股を掴み取ることを防止することができ、より一層の防御効果を向上させることができる。
【００４６】
竿部２０１は、実施の形態１と同様に、円筒形状で形成されており、鍔２０２とグリップ部を備えている。本実施の形態の刺股では、グリップ部に市販の防御スプレー装置７０２が着脱可能となっている。これにより、防御スプレーの起動スイッチを新たに製造する必要がなくなり、市販の防御スプレーの起動ボタンを活用することが可能となる。
【００４７】
ここで、本実施の形態の刺股では、市販の防御スプレー装置をそのまま装着して使用するため、捕獲部１０１と竿部２０１とは接合されており、実施の形態１の刺股のように、カバー部１０３や竿部２０１と捕獲部１０１とを仮固定するための凹部および凸部は竿部２０１と捕獲部１０１に設けられていない。また、同様の理由でグリップ部も回動しない構成となっている。
【００４８】
次に、本実施の形態にかかる刺股におけるスプレー噴出機構について説明する。図８は、実施の形態２にかかる刺股のスプレー噴出機構を説明するための捕獲部１０１、竿部２０１の断面図である。
【００４９】
本実施の形態の刺股に使用する防御スプレー装置７０２としては、市販されているものを使用し、本体にスプレーを貯蔵し、起動ボタン７０３を押下することにより噴射ノズルからスプレーが噴射する機構のものであればよい。
【００５０】
本実施の形態の刺股では、図８に示すように、竿部２０１の中空部にグリップ部側端部に開口する管路８０１が設けられている。この管路８０１は、捕獲部１０１の竿部中空部側の面を貫通して、捕獲部１０１の中空部まで延在し、捕獲部１０１内部の点線で示された管路に接続されている。
【００５１】
防御スプレー装置７０２を刺股に装着する場合には、管路８０１の竿部グリップ側開口に噴射ノズル７０４が当接するように防御スプレー装置７０２を竿部２０１に嵌める。防御スプレー装置７０２の竿部２０１への装着は、竿部２０１に嵌合部を設け、かかる嵌合部に防御スプレー装置７０２を嵌めることにより行えばよい。なお、ビニールテープや接着剤により、防御スプレー装置７０２を竿部２０１に固定してもよい。
【００５２】
防御スプレー装置７０２を竿部２０１に装着した状態で、起動ボタン７０３を押下すると、スプレーが噴射ノズル７０４から噴出する。噴出したスプレーは、管路８０１を通って捕獲部１０１の噴射口１０４から刺股外部に噴射される。
【００５３】
このように本実施の形態にかかる刺股では、市販の防御スプレー装置が着脱可能であるため、スプレー噴射のための新たな機能を搭載する際の製造工程が簡易となる。また、防御スプレー装置内部の刺激剤等がなくなった場合には、防御スプレー装置自体を交換すればよいため、刺股を反復して使用することが可能となる。
【００５４】
なお、実施の形態１および２の刺股において、攻撃者に対する刺股の使用の状況に応じてスプレーの刺激剤の種類やスプレーの噴射強度を変更するように構成してもよい。
【図面の簡単な説明】
【００５５】
【図１】実施の形態１にかかる刺股の外観構成を示す模式図である。
【図２】実施の形態１にかかる刺股の防御スプレーおよび防御スプレー内蔵機構の詳細を示す断面図である。
【図３】捕獲部１０１の竿部２０１との接合部付近の詳細を示す断面図である。
【図４】竿部２０１の防御スプレー装置の内蔵部分の詳細を示す断面図である。
【図５】捕獲部１０１のカバー部１０３と竿部２０１との嵌合状態が解除された状態を示す模式図である。
【図６】実施の形態１にかかる刺股のグリップ部２０３の構造を示す拡大断面図である。
【図７】実施の形態２にかかる刺股の外観構成を示す模式図である。
【図８】実施の形態２にかかる刺股のスプレー噴出機構を説明するための捕獲部１０１、竿部２０１の断面図である。
【符号の説明】
【００５６】
１０１  捕獲部
１０３  カバー部
１０４  噴射口
１０５  永久磁石
１０７  ワイヤー
１０８  凸部
２０１  竿部
２０２  鍔
２０３  グリップ部
２０４  防御スプレー
２０５  起動ボタン
２０６  突起部
２０７  テーパ状部
２０８  凹部
２１０  支持台
２１１  筒状体
６０１  溝部
６０２  方向変換ストッパー
７０２  防御スプレー装置
７０３  起動ボタン
７０４  噴射ノズル
８０１  管路
【図１】
2007139261.tif 000003
【図２】
2007139261.tif 000004
【図３】
2007139261.tif 000005
【図４】
2007139261.tif 000006
【図５】
2007139261.tif 000007
【図６】
2007139261.tif 000008
【図７】
2007139261.tif 000009
【図８】
2007139261.tif 000010